(57)【要約】【課題】つり銭やレシートを排出して、ユーザーが指を差し込んで取り出すつり銭返却ボックスにおいて、つり銭が下に潜り込まず、つり銭とプリンタ用紙を同時に容易に取り出し可能なつり銭返却ボックスを提供する。【解決手段】つり銭排出装置３とつり銭排出口３１とつり銭排出部２、および、内開き構成の前扉７を設けたつり銭取出口を備え、つり銭排出部２の下部にレシート排出路８を設け、つり銭取出口の下側にレシ−ト排出口９を設けた構成のつり銭返却ボックス１とし、つり銭を掴んだ手で同時にレシートＲを取り出し可能にした。【選択図】図１
2014164390.tif 000002
【特許請求の範囲】
【請求項１】
つり銭とレシートを排出するつり銭返却ボックスであって、
つり銭排出装置とつり銭排出口とつり銭排出部、および、内開き構成の前扉を設けたつり銭取出口を備え、つり銭排出部の下部にレシート排出路を設け、つり銭取出口の下側にレシ−ト排出口を設けたことを特徴とするつり銭返却ボックス。
【請求項２】
前記つり銭排出部が、前記前扉の下端部が当接して該前扉の閉位置を規定する奥下がり状の第１傾斜部と、該第１傾斜部に連なる奥上がり状の第２傾斜部と、を有する底面部を備えると共に、前記レシート排出路が、当該底面部の下部に略平行な通路として形成されていることを特徴とする請求項１に記載のつり銭返却ボックス。
【請求項３】
前記レシート排出路は、前記底面部と該底面部の下側に設ける第２底面部との間に形成される通路から成り、前記レシ−ト排出口は、前記第２底面部に設ける下側に湾曲して折り曲げた屈曲部と、該屈曲部の上側に対向して前記底面部に設ける切欠き開口部とから成ることを特徴とする請求項２に記載のつり銭返却ボックス。
【請求項４】
前記レシート排出路の送り方向に沿って当該排出路の幅方向の中央部に山型に突出したせり上がり部を設けたことを特徴とする請求項１から３のいずれかに記載のつり銭返却ボックス。
【請求項５】
前記せり上がり部は、前記レシ−ト排出口の手前側に終端部を有しており、出口側傾斜部を介して前記レシート排出口に連接することを特徴とする請求項４に記載のつり銭返却ボックス。
【発明の詳細な説明】
【技術分野】
【０００１】
本発明は、つり銭やレシートなどを排出して、ユーザーが手や指を差し込んで取り出すつり銭返却ボックスに関する。
【背景技術】
【０００２】
従来、つり銭やレシートなどを排出して、ユーザーが手や指を差し込んで取り出すつり銭返却ボックスは、片手でも外から容易に取出すことができるように、大きな入口に内開きの前扉を備えた構成とされている。
【０００３】
また、給油所などに設置されている洗車機に各種洗車モードを設定するリモートパネルは、所定の金額を投入して洗車モードを設定し、つり銭とレシートを受け取る構成とされており、日付や所要金額やつり銭金額などの領収内容に加えて、設定した洗車モードの内容や当該給油所のコマーシャルや次回の割引サービスなどを印刷したレシートを排出している。
【０００４】
領収内容に加えて、洗車モードの内容や給油所のコマーシャルや次回の割引サービスなどを印刷したレシートは、その長さが長くなっている。また、つり銭とレシートを一度に片手で取り出せるように、つり銭返却ボックスにレシートを同時に排出することも行われている。そのために、つり銭返却ボックスの奥にレシート排出口を設けて、つり銭返却ボックス内にレシートを全て排出して、つり銭とレシートを同時に掴んで取出せるようにしている。
【０００５】
例えば、本出願人から、長いプリンタ用紙（レシート）であっても容易に取り出せ、つり銭とプリンタ用紙を同一の取出口から一体に取り出し可能としたプリンタ用紙取出口が既に提案されている（例えば、特許文献１参照）。
【先行技術文献】
【特許文献】
【０００６】
【特許文献１】特開２０１１−５７３２８号公報
【発明の概要】
【発明が解決しようとする課題】
【０００７】
つり銭返却ボックスにプリンタ用紙（レシートと同じ、以後、レシートと称する）を排出することにより、つり銭とレシートを片手で一体につかみ出すことができる。しかし、つり銭がコインである場合には、重いコインがレシートの下に潜り込んでしまい取りだし難くなってしまい問題となる。
【０００８】
また、下に潜り込んだコインをレシートと共に取り出すと、レシートがクチャクチャになってしまい好ましくない。特に、領収内容に加えて、洗車モードの内容や給油所のコマーシャルや次回の割引サービスなどを印刷した洗車機におけるレシートは、その長さが長くなっているために、取出し操作が一層困難になる。
【０００９】
そのために、長いレシートを排出する場合でも、レシートを綺麗な状態で、且つ、つり銭と共に容易に取り出せる構成であることが望ましく、また、片手で前扉を押し開いて、そのままその片手でつり銭とレシートを容易に取り出せることが望ましい。
【００１０】
本発明は、上記問題点に鑑み、つり銭やレシートを排出して、ユーザーが指を差し込んで取り出すつり銭返却ボックスにおいて、つり銭が下に潜り込まず、つり銭とレシートを同時に容易に取り出し可能なつり銭返却ボックスを提供することを目的とする。
【課題を解決するための手段】
【００１１】
上記目的を達成するために本発明は、つり銭とレシートを排出するつり銭返却ボックスであって、つり銭排出装置とつり銭排出口とつり銭排出部、および、内開き構成の前扉を設けたつり銭取出口を備え、つり銭排出部の下部にレシート排出路を設け、つり銭取出口の下側にレシ−ト排出口を設けたことを特徴としている。
【００１２】
この構成によると、つり銭取出口の下側にレシ−ト排出口を設けているので、つり銭を手で掴んで取り出す際に、下側に出ているレシートを同時に掴み出すことができる。従って、つり銭が下に潜り込まず、つり銭とレシートを同時に容易に取り出し可能なつり銭返却ボックスを得ることができる。
【００１３】
また本発明は、上記構成のつり銭返却ボックスにおいて、前記つり銭排出部が、前記前扉の下端部が当接して該前扉の閉位置を規定する奥下がり状の第１傾斜部と、該第１傾斜部に連なる奥上がり状の第２傾斜部と、を有する底面部を備えると共に、前記レシート排出路が、当該底面部の下部に略平行な通路として形成されていることを特徴としている。この構成によると、つり銭取出部の中央部付近が窪んだ底面形状となるので、排出されるつり銭をつり銭取出部の中央部に集積することができ、一括に取出し容易となる。また、レシ−ト排出路が排出口に向かって上向きに傾斜しているので、排出されるレシートを斜め上向きに送り出す構成となり、つり銭を掴んだ手によってもレシートを掴み易くなる。
【００１４】
また本発明は、上記構成のつり銭返却ボックスにおいて、前記レシート排出路は、前記底面部と該底面部の下側に設ける第２底面部との間に形成される通路から成り、前記レシ−ト排出口は、前記第２底面部に設ける下側に湾曲して折り曲げた屈曲部と、該屈曲部の上側に対向して前記底面部に設ける切欠き開口部とから成ることを特徴としている。この構成によると、レシ−ト排出口の下側が湾曲して折り曲げられているので、レシ−トを取り出す手を傷付けない。
【００１５】
また本発明は、上記構成のつり銭返却ボックスにおいて、前記レシート排出路の送り方向に沿って当該排出路の幅方向の中央部に山型に突出したせり上がり部を設けたことを特徴としている。この構成によると、レシ−トの中央部分を少し上向きに押し上げながらレシートを排出するので、レシートがカールすることを効果的に抑制できる。そのために、長いレシートであっても、容易に取り出すことが可能になる。
【００１６】
また本発明は、上記構成のつり銭返却ボックスにおいて、前記せり上がり部は、前記レシ−ト排出口の手前側に終端部を有しており、出口側傾斜部を介して前記レシート排出口に連接することを特徴としている。この構成によると、レシ−ト排出口からレシートを略平行状態に取り出すことができ、綺麗な状態のまま引き出すことができる。
【発明の効果】
【００１７】
本発明によれば、つり銭取出口の下側にレシ−ト排出口を設けているので、つり銭を手で掴んで取り出す際に、下側に出ているレシートを同時に掴み出すことができる。従って、つり銭が下に潜り込まず、つり銭とレシートを同時に容易に取り出し可能なつり銭返却ボックスを得ることができる。
【図面の簡単な説明】
【００１８】
【図１】本発明に係るつり銭返却ボックスの構成を示す概略説明図である。
【図２】レシート排出路の断面構造を示す拡大断面図である。
【図３】レシート排出路の出口側に設けるレシート排出口とせり上がり部を示す要部拡大図である。
【図４】せり上がり部とレシートとの位置関係を示す概略説明図である。
【図５】つり銭返却ボックスを前面から見た前扉とレシート排出口との位置関係を示す概略説明図である。
【発明を実施するための形態】
【００１９】
以下に本発明の実施形態を図面を参照して説明する。また、同一構成部材については同一の符号を用い、詳細な説明は適宜省略する。
【００２０】
本実施形態のつり銭返却ボックス１は、例えば、洗車機の洗車モードを設定するリモートパネルに設けられ、紙幣やコインを投入して、所望の洗車モードを選択設定し、つり銭とレシートを受け取る構成である。そのために、図１に示すように、枠体１１に、つり銭排出装置３とつり銭排出口３１とつり銭排出部２と、前扉７を設けたつり銭取出口１０を備え、つり銭排出部２の下部にレシート排出路８を設けている。また、６は電信ケーブルであって、電源ラインや各種信号線を含む。
【００２１】
レシートＲは、レシート収納部５に収納支持されているロール状のレシート用紙５１を繰り出して、領収内容やその他の情報を印刷して所定部位で切断したものであり、レシート収納部５から送りローラ４２を介して搬送し、印刷装置４の印刷部４１にて所望の各種データを印刷し、レシート給送口４４からレシート排出路８に給送される。
【００２２】
また、レシート給送口４４の手前に、レシートを切断可能に把持するレシート把持部４３を設けてもよい。すなわち、レシート排出路８は、レシート給送口４４からレシート排出口９に至るレシート挿通路であって、印刷部４１で所定の情報を印刷されたレシートＲをつり銭返却ボックス１から排出する経路である。
【００２３】
印刷部４１は、領収内容に加えて、洗車モードの内容や給油所のコマーシャルや次回の割引サービスなどの各種データを印刷している。そのために、給送されるレシートＲの長さは長くなる。所定の情報が印刷されたレシートＲは、その先頭部分がレシート排出口９から排出され、この先頭部分をユーザーが把持して引っ張ると、レシート把持部４３を介して切断された状態でレシートＲを引き出すことができる。
【００２４】
また、つり銭排出部２の前面側のつり銭取出口１０に前扉７を設けている。前扉７は内開き構成とされ、軸支部７０を介して図中に点線で示すようにつり銭排出部２の内部に搖動可能とされる。また、つり銭排出部２は、前扉７の下端部７１が当接して該前扉７の閉位置を規定する奥下がり状の第１傾斜部２１ａと、該第１傾斜部２１ａに連なる奥上がり状の第２傾斜部２１ｂと、を有する底面部２１を備える。
【００２５】
すなわち、前扉７は、軸支部７０を中心にして、実線で示す閉位置７Ａと破線で示す開位置７Ｂとの間を開閉自在な構成とされている。また閉位置７Ａでは、前扉７の下端部７１が、入口側の底面部２１を構成する奥下がり状の第１傾斜部２１ａの前端部分に当接して、前扉７の閉位置７Ａが規定されている。
【００２６】
本実施形態では、レシート排出路８は、つり銭排出部２とは隔離された別経路として設けている。すなわち、つり銭排出部２の底面部２１の下部にレシート排出路８を設けている。例えば、第１傾斜部２１ａの下方に設ける傾斜部２２ａと、第２傾斜部２１ｂの下方に設ける傾斜部２２ｂとを有する第２底面部２２を配設している。言い換えれば、レシート排出路８は、底面部２１の下部に略平行な通路として形成されている。そのために、つり銭排出部２にユーザーが手を差し込んだ状態では、ユーザーはつり銭のみを掴むことになる。
【００２７】
つり銭排出部２は奥下がり状の第１傾斜部２１ａと奥上がり状の第２傾斜部２１ｂとが連接している中央部が窪んでいるので、この窪みに、つり銭排出装置３から排出されるつり銭が堆積する。すなわち、つり銭排出部２の中央部分につり銭を集めるようにつり銭排出口３１から排出できる。
【００２８】
また、レシート排出口９は、閉止状態の前扉７の直下の前方に位置するように設けている。この構成について、また、レシート排出路８の構成について図２を用いて説明する。図２は、レシート排出路８の断面構造を示す拡大断面図である。
【００２９】
図２に示すように、レシ−ト排出路８は底面部２１と該底面部２１の下側に設ける第２底面部２２との間に形成される通路から成る。また、レシ−ト排出口９は、第２底面部２２に設ける下側に湾曲して折り曲げた屈曲部２２ｃと、該屈曲部２２ｃの上側に対向して底面部２２に設ける切欠き開口部２１ｃとから形成される。この構成であれば、レシ−ト排出口９は、下側に湾曲して折り曲げられた形状とされるので、突起物がなくレシ−トＲを取り出す手を傷付けない。
【００３０】
上記したように、本実施形態によれば、つり銭排出部２の中央部付近が窪んだ底面形状となるので、排出されるつり銭をつり銭排出部２の中央部に集積することができ、一括に取出し容易となる。また、レシ−ト排出路８がレシート排出口９に向かって上向きに傾斜しているので、排出されるレシートＲを斜め上向きに送り出す構成となり、つり銭を掴んだ手によってもレシートＲを掴み易くなる。
【００３１】
また、本実施形態では、レシート排出路８の送り方向に沿ってその中央部に山型に突出したせり上がり部２３を設けている。これは、給送するレシートＲがカールしたり折れ曲がったりすることを防止して、レシート排出口９まで確実に給送するために設けたものである。
【００３２】
例えば、せり上がり部２３はレシート給送口４４の後からレシート排出口９の前まで続いて第２底面部２２上に設けられており、入口側傾斜部２３ａと出口側傾斜部２３ｂをそれぞれ有する突出部から成る。
【００３３】
図３に示すように、せり上がり部２３はレシート排出口９側から見ると、その幅方向の中央部に山型に突出して形成される。そのために、このレシート排出路８を給送されるレシートＲは、中央部が上方に押された状態を維持して給送されることになって、幅方向にも、また、長さ方向にもカールし難い状態となる。
【００３４】
上記したように、本実施形態に係るつり銭返却ボックス１は、レシート排出路８の送り方向に沿ってその中央部に山型に突出したせり上がり部２３を設けている。この構成であれば、レシ−トＲの中央部分を少し上向きに押し上げながらレシートＲを排出するので、レシートＲがカールすることを効果的に抑制できる。そのために、長いレシートＲであっても、容易に取り出すことが可能になる。
【００３５】
また、せり上がり部２３は、レシ−ト排出口９の手前側に終端部を有しており、出口側傾斜部２３ｂを介してレシート排出口９に連接する。この構成であれば、レシ−ト排出口９には突出部は形成されていないので、レシートＲの送給を邪魔せず、レシートＲを略平行状態に取り出すことができる。すなわち、レシートＲを綺麗な状態のまま引き出すことができる。
【００３６】
このせり上がり部２３の大きさは、その高さは２ｍｍ程度としている。また、レシート排出路８の隙間は、湾曲した通路に沿ってレシートＲがスムーズに送給可能な程度であることが好ましく、本実施形態では入口部で６ｍｍ程度とし、出口部では４ｍｍ程度としている。せり上がり部２３の幅は、給送するレシートＲの約半分程度でよく、レシートＲの幅が４０〜６０ｍｍの場合には、２０〜３０ｍｍ程度の幅が好ましい。
【００３７】
例えば、図４の概略説明図に示すように、レシート排出路８を給送されるレシートＲの幅がＬ１のとき、せり上がり部２３は、その略半分の長さの幅Ｌ２を有し、その高さＨ１は約２ｍｍである。また、レシート排出路８の上流側には入口側傾斜部２３ａが設けられ、下流側には出口側傾斜部２３ｂが設けられていて、給送されるレシートＲをスムーズに給送可能にしている。
【００３８】
次に、図５を用いてつり銭取出し操作について説明する。図５は、つり銭返却ボックス１を前面から見た前扉７とレシート排出口９との位置関係を示す概略説明図である。
【００３９】
つり銭返却ボックス１を前方から見ると、図５に示すように、枠体１１に前扉７が装着され、枠体１１の上部につり銭排出装置３が配設されている。ユーザーがつり銭を取り出す際には、前扉７を押し込むようにつり銭取出口１０から手を差し込む。前扉７は軸支部７０を介して搖動可能に装着されているので、ユーザーの押し込み操作により、ボックスの内側に向けて搖動する。
【００４０】
そのため、前扉７を押し込んだユーザーの手は、ボックス内のつり銭排出部２に排出されたつり銭を掴んで取り出すことができる。また、つり銭を掴んだ手を引き出すと、手により押し込まれていた前扉７は手の動きに同調して閉止位置まで自動的に搖動する。
【００４１】
この際に、前扉７の直下にレシ−ト排出口９が配設されており、斜め上向きにレシートＲが排出されるので、引き出す手のすぐ下にレシートＲが位置する構成となって、つり銭を掴んだ状態の手であっても、指１本、例えば、親指１本を用いてレシートＲを取り出すことができる。
【００４２】
レシートＲの長さは、印刷する情報により異なるが、領収内容のみの場合は８０ｍｍ程度であり、領収内容に加えて洗車条件や次回の割引サービスなどの各種データを印刷した場合には４００ｍｍ程度まで長くなる場合がある。
【００４３】
そこで、本実施形態では、最も短い８０ｍｍ程度の時に、レシートＲの先頭部分が約１０ｍｍ出るように設定している。そのために、最も長いレシートＲであれば、レシ−ト排出口９から３３０ｍｍ程度出るが、一旦上方に向けて飛び出した後、下方に丸まるようにして排出されるので、レシ−ト排出口９から一旦上方に向かう後端部分を指で把持して容易に引き出すことが可能である。
【００４４】
上記したように、本実施形態に係るつり銭返却ボックス１によれば、つり銭取出口１０の下側にレシ−ト排出口９を設けているので、つり銭を手で掴んで取り出す際に、下側に出ているレシートＲを同時に掴み出すことができる。従って、つり銭が下に潜り込まず、つり銭とレシートＲを同時に容易に取り出し可能なつり銭返却ボックス１を得ることができる。
【００４５】
また、つり銭排出部２の底面を、奥下がり状の第１傾斜部２１ａと奥上がり状の第２傾斜部２１ｂとを有する底面部２１とし、レシート排出路８を、当該底面部２１の下部に設ける第２底面部２２とで形成する略平行な通路とし、さらに、レシート排出路８の送り方向に沿ってその中央部に山型に突出したせり上がり部２３を設けた構成とすることにより、つり銭が一括に取出し容易となり、斜め上向きに排出されるレシートＲを掴み易くなり、レシートＲがカールすることを効果的に抑制して、長いレシートＲであっても、つり銭とレシートＲを同時に容易に取り出すことが可能になる。
【００４６】
さらに、レシ−ト排出口９は、第２底面部２２に設ける下側に湾曲して折り曲げた屈曲部２２ｃと、該屈曲部２２ｃの上側に対向して前記底面部２１に設ける切欠き開口部２１ｃとから成る構成としているので、レシ−ト排出口９は、下側に湾曲した開口部となって、突出部も鋭角部もないので、レシ−トを取り出す手を傷付けない。
【産業上の利用可能性】
【００４７】
従って、本発明に係るつり銭返却ボックスは、ユーザーが片手でつり銭とレシートを容易に取り出すことが求められるつり銭返却手段に好適に適用される。
【符号の説明】
【００４８】
１    つり銭返却ボックス
２    つり銭排出部
３    つり銭返却装置
７    前扉
８    レシート排出路
９    レシート排出口
１０    つり銭取出口
２１    底面部
２１ａ  第１傾斜部
２１ｂ  第２傾斜部
２１ｃ  切欠き開口部
２２    第２底面部
２２ａ、２２ｂ  傾斜部
２２ｃ  屈曲部
２３    せり上がり部
２３ａ  入口側傾斜部
２３ｂ  出口側傾斜部
４４    レシート給送口
Ｒ    レシート
【図１】
2014164390.tif 000003
【図２】
2014164390.tif 000004
【図３】
2014164390.tif 000005
【図４】
2014164390.tif 000006
【図５】
2014164390.tif 000007